(57)【要約】【解決手段】略筒状に形成されたブラケット７と、ブラケット７の開口側に取り付けられるフレーム９と、ブラケット７とフレーム９で囲まれる空間内に収納され、フレームから外部に突出する回転軸１４を有するモータ本体部と、回転軸１４に取り付けられるファン２５と、ファンの周面に形成された吐出口から吐出された空気を整流してブラケット側へ導くディフューザ２０と、ファン２５及びディフューザ２０を覆うファンカバー２７とを備え、ディフューザ２０は、外周側をフレーム９とファンカバー２７とで挟持固定し、内周側を軸方向においてフレーム９と離間させると共に、径方向にて接触させる。【効果】従来必要としたネジ固定のための取付部が不要となるため、成形によるひけやブレードの倒れ等の発生を抑制することができ、送風効率の低下を防止することができると共に、取付作業性を向上することができる。【選択図】図１
2009047072.tif 000002
【特許請求の範囲】
【請求項１】
略筒状に形成されたブラケットと、該ブラケットの開口側に取り付けられるフレームと、前記ブラケットとフレームで囲まれる空間内に収納され、前記フレームから外部に突出する回転軸を有するモータ本体部と、前記回転軸に取り付けられるファンと、該ファンの周面に形成された吐出口から吐出された空気を整流してブラケット側へ導くディフューザと、前記ファン及びディフューザを覆うファンカバーとを備え、
前記ディフューザは、外周側をフレームとファンカバーとで挟持固定し、内周側を軸方向においてフレームと離間させると共に、径方向にて接触させたことを特徴とする電動送風機。
【請求項２】
前記ディフューザのファンと対向する面の内周部に、前記フレーム側に向かって筒状部を形成し、該筒状部外周に、環状の突条を形成したことを特徴とする請求項１記載の電動送風機。
【請求項３】
略筒状に形成されたブラケットと、該ブラケットの開口側に取り付けられるフレームと、前記ブラケットとフレームで囲まれる空間内に収納され、前記フレームから外部に突出する回転軸を有するモータ本体部と、前記回転軸に取り付けられるファンと、該ファンの周面に形成された吐出口から吐出された空気を整流してブラケット側へ導くディフューザと、前記ファン及びディフューザを覆うファンカバーとを備え、
前記ディフューザは、前記ファンと相対向する面の外周側にファンからの排気を整流して前記ブラケット内に導く整流翼を形成し、該整流翼より内周側の肉厚を略均一に形成したことを特徴とする電動送風機。
【請求項４】
前記ディフューザの整流翼にて囲まれる部分に、補強リブを形成したことを特徴とする請求項３記載の電動送風機。
【請求項５】
掃除機本体に請求項１から請求項５のいずれかに記載の電動送風機を内蔵したことを特徴とする電気掃除機。
【発明の詳細な説明】
【技術分野】
【０００１】
この発明は、電動送風機及びこの電動送風機を備える電気掃除機に関する。
【背景技術】
【０００２】
電気掃除機は、電動送風機及び集塵室を有する掃除機本体を備え、電動送風機の吸引力により被掃除面から塵埃を空気と共に吸引し、集塵室で塵埃と空気とを分離して塵埃を集塵室内に蓄積し、塵埃が分離された清浄な空気を掃除機本体外部に排気するようになっている。
【０００３】
電動送風機は、モータ部とファン部とからなり、モータ部は、略円筒状に形成されたブラケットと、ブラケットの開口側に取り付けられるフレームと、ブラケットとフレームで囲まれる空間内に収納され、回転軸を有するモータ本体部とを有し、ファン部には、フレームを貫通して突出する回転軸に取り付けられるファンと、ファンから吐出された空気を整流するディフューザと、ファン及びディフューザを覆うファンカバーとを有し、ディフューザは、モータ部のフレームにネジ固定されている。（特許文献１参照）。
【特許文献１】特開２００５−６９０３５号公報
【発明の開示】
【発明が解決しようとする課題】
【０００４】
特許文献１記載の構成では、ディフューザにはネジ固定するためのネジ孔を有する取付部が形成されており、取付部は、強度が必要となるため、他の部分に比較して肉厚に形成される。この取付部の肉厚の影響により、成型時に、ディフューザにひけやそりが発生し、ディフューザ天面の平面度を悪化させ、送風効率が低下する問題があった。
【０００５】
また、ディフューザをネジ固定しているため、取付部に応力が加わり、ディフューザが変形してディフューザ天面の平面度が悪化する問題があった。
【０００６】
この発明は、このような従来技術を背景になされたものであり、本発明の目的は、ディフューザの変形を低減し得る電動送風機及び電気掃除機を提供することである。
【課題を解決するための手段】
【０００７】
本発明の電動送風機は、略筒状に形成されたブラケットと、該ブラケットの開口側に取り付けられるフレームと、前記ブラケットとフレームで囲まれる空間内に収納され、前記フレームから外部に突出する回転軸を有するモータ本体部と、前記回転軸に取り付けられるファンと、該ファンの周面に形成された吐出口から吐出された空気を整流してブラケット側へ導くディフューザと、前記ファン及びディフューザを覆うファンカバーとを備え、前記ディフューザは、外周側をフレームとファンカバーとで挟持固定し、内周側を軸方向においてフレームと離間させると共に、径方向にて接触させたことを特徴とする。
【０００８】
尚、前記ディフューザのファンと対向する面の内周部に、前記フレーム側に向かって筒状部を形成し、該筒状部外周に、環状の突条を形成することが好ましい。
【０００９】
また、本発明の電動送風機は、略筒状に形成されたブラケットと、該ブラケットの開口側に取り付けられるフレームと、前記ブラケットとフレームで囲まれる空間内に収納され、前記フレームから外部に突出する回転軸を有するモータ本体部と、前記回転軸に取り付けられるファンと、該ファンの周面に形成された吐出口から吐出された空気を整流してブラケット側へ導くディフューザと、前記ファン及びディフューザを覆うファンカバーとを備え、前記ディフューザは、前記ファンと相対向する面の外周側にファンからの排気を整流して前記ブラケット内に導く整流翼を形成し、該整流翼より内周側の肉厚を略均一に形成したことを特徴とする。
【００１０】
尚、前記ディフューザの整流翼にて囲まれる部分に補強リブを形成することが好ましい。
【００１１】
また、本発明の電気掃除機は、掃除機本体に上記電動送風機を内蔵したことを特徴とする。
【発明の効果】
【００１２】
本発明の請求項１記載の発明によれば、従来必要としたネジ固定のための取付部が不要となるため、成形によるひけやブレードの倒れ等の発生を抑制することができ、送風効率の低下を防止することができると共に、取付作業性を向上することができる等の効果を奏する。
【００１３】
本発明の請求項２記載の発明によれば、成型時のそりの発生をより低減でき、送風効率の低下を防止することができる等の効果を奏する。
【００１４】
本発明の請求項３記載の発明によれば、ディフューザの肉厚が略均一となるため、成形によるひけやブレードの倒れ等の発生を抑制することができ、送風効率の低下を防止することができる等の効果を奏する。
【００１５】
本発明の請求項４記載の発明によれば、ディフューザを補強することができ、ディフューザのそり等の発生をより低減でき、送風効率の低下を防止することができる等の効果を奏する。
【００１６】
本発明の請求項５記載の発明によれば、送風効率の低下を防止した電気掃除機を得ることができる等の効果を奏する。
【発明を実施するための最良の形態】
【００１７】
以下には、図面を参照して、この発明の具体的な実施形態について説明をする。図６は、電気掃除機本体の構成を示す断面図であって、1は掃除機本体で、前車輪及び後車輪２を有し、前部に形成した集塵室３を蓋体４により開閉自在に閉塞している。掃除機本体1の後部には、電動送風機６を収納する収納室５が形成されている。
【００１８】
次に、本発明の実施形態の電動送風機6の構成を図１から図３に基づいて詳述する。図1は電動送風機３の断面図、図２はディフューザ２０の平面図、図３はディフューザ２０の断面図、図４はディフューザ２０をブラケット枠１１側から見た斜視図である。
【００１９】
図３において、７は鋼板をプレス加工して形成した有底円筒状のブラケットで、開口縁には外側に張り出すフランジ部８が形成されている。ブラケット７の開口端には開口端を横断するようにフレーム９が配設され、フレーム９は両端がブラケット８に重ね合わせてネジ１０にて固定されている。前記ブラケット７及びフレーム９によりブラケット枠１１を構成している。
【００２０】
前記ブラケット枠１１内には、モータ本体部を構成する固定子１２及び回転子１３が配設されており、固定子１３はブラケット７に圧入固定され、また、回転子１２は、その回転軸１４を有し、回転軸１４の一端は、フレーム９を貫通して外側に延設されている。前記回転軸１４は、ブラケット７とフレーム９にそれぞれ配設される軸受１５に回転自在に支持されており、ブラケット７とフレーム９には、軸受１５を保持する保持部１６、１７をそれぞれ外側に向かって突出形成している。前記回転子１２には、整流子１８が設けられ、ブラケット７には、整流子１８に接触するブラシ装置１９が設けられている。
【００２１】
前記ブラケット７の開口端側には、ガラス繊維入りナイロン等の合成樹脂により成形されるディフューザ２０が配設されている。前記ディフューザ２０は、図１から図４に示されるように、後述するファン２５よりも径大な板状で、ファン２５の外周に対向して円弧状のブレード２１が一体的に形成されており、ブレード２１間に空気通路が形成されている。前記ディフューザ２０のブラケット枠１１側の面には、複数の円弧状の整流翼２２が一体に形成され、整流翼２２間に形成される空気通路がブラケット枠１１内に連通している。
【００２２】
前記整流翼２２は、ディフューザ２０の外周側から前記ブラケット７の略内周位置まで延設され、その位置から内周側になるに従って低くなるように形成されている。前記整流翼２２は、その円弧に沿って後述する筒状部２３まで低い高さで延設して、補強リブ２２ａを形成している。該補強リブ２２は、本実施形態では、高さ及び幅を１．５ｍｍに形成しており、前記ディフューザ２０の整流翼２２にて囲まれる部分は、略均一な肉厚に形成されている。
【００２３】
尚、本実施形態においては、補強リブ２２は整流翼２２を延設して形成したが、整流翼２２とは独立して形成してもよい。
【００２４】
前記ディフューザ２０の中央部には、ブラケット枠１１側に向かって筒状部２３が突出形成され、筒状部２３の内周部には、前記フレーム９の保持部１７外周に圧接してディフューザ２０の筒状部２３とフレーム９の保持部１７との間を気密に保持する可撓性を有するシール部２４を一体的に形成している。このシール部２４とフレーム９の保持部１７との圧接によりディフューザ２０の径方向の位置決めを行い、軸方向においては、フレーム９とディフューザ２０との間に間隔を形成してフレーム９とディフューザ２０とが接触しないようにしている。
【００２５】
２５は前記回転軸１４の先端部にナット２６により固定されるアルミニューム合金にて形成される遠心ファン、２７は前記ディフューザ２０及びファン２５を覆うファンカバーで、前記ブラケット枠１１外周に圧入固定され、前記フレーム９との間でディフューザ２０のブレード２１と整流翼２２を挟持することにより軸方向の位置決めを行うと共に、ブラケット枠１１とディフューザ２０及びディフューザ２０とファンカバー２７との間のシールを行っている。
【００２６】
ディフューザ２０は、径方向において中央部のシール部２４とフレーム９の保持部１７との圧接により位置決めされ、また、軸方向においては、外周部のブレード２１と整流翼２２をファンカバー２７とフレーム９との間で挟持して位置決めすることにより、確実に位置決めされる。
【００２７】
ディフューザ２０は、従来は、ネジによりフレームに固定されていたが、本実施形態では、ネジ固定していないので、組立作業性を向上することができると共に、コストを低減することができる。また、ネジ固定による歪みが生じることがなくなり、ディフューザ２０の変形を防止することができる。さらに、ネジ固定するための取付部が不要となるため、ディフューザ２０を略対象形状に形成でき、取付方向を考慮する必要が無くなり、取付作業性を向上することができる。
【００２８】
また、ディフューザ２０は、従来必要としたネジ固定のための取付部が不要となり、ディフューザ２０の整流翼２２にて囲まれる部分を略均一な肉厚に形成しているため、部分的に肉厚にする必要がなくなり、ひけやブレード２１の倒れ、ブレード２１の高さのばらつきなどの発生を抑制することができ、性能の低下を防止することができる。更に、ディフューザ２０の整流翼２２にて囲まれる部分に補強リブ２２ａを形成しているので、従来形成していた取付部を不要とすることによる強度の低下を補い、取付作業時等におけるディフューザの変形を防止することができる。
【００２９】
また、ディフューザ２０は、軸方向においては、外周部の整流翼２２のみにてブラケット枠１１に当接し、その他の部分ではブラケット枠１１に当接しないので、振動音（ビビリ音）の発生を防止することができる。
【００３０】
上記実施形態においては、ディフューザ２０は、その形状的に中央部分がファン２５側へ突出するようにそりが発生しやすくなり、このようにそりが発生した場合には、そりによりブレード２１が倒れて送風効率が低下したり、ブレード２１とファンカバー２７とのシール性が低下する恐れがある。
【００３１】
上記問題を解決するため、図５に示すごとく、ディフューザ２０の筒状部２３外周に、環状の突条２８を形成している。
【００３２】
ディフューザ２０を成形する際、まずファン２５側の金型を外し、次にもう一方の金型から整流翼２２間に位置する押し出しピンによりディフューザ２０を押し出すが、その際、突条２８が金型に対する引っかかりとなって成型時のそりを修正することができる。
【００３３】
突条２８の突出量は、成型品を確認して、変形度により設定できる。突条２８は、金型に容易に形成することができ、安価に、ディフューザ２０のそりを修正することができる。
【００３４】
この発明は、以上説明した種々の実施形態に限定されるものではなく、請求項記載の範囲内において種々の変更が可能である。
【図面の簡単な説明】
【００３５】
【図１】この発明の一実施形態に係る電動送風機の断面図である。
【図２】同ディフューザの平面図である。
【図３】同ディフューザの断面図である。
【図４】同ディフューザのブラケット枠側から見た斜視図である。
【図５】本発明の他の実施形態を示すディフューザの断面図である。
【図６】電気掃除機の断面図である。
【符号の説明】
【００３６】
７    ブラケット
９    フレーム
１２    回転子
１３    固定子
１４    回転軸
１７    保持部
２０    ディフューザ
２１    ブレード
２２    整流翼
２２ａ  補強リブ
２３    筒状部
２４    シール部
２８    突条
【図１】
2009047072.tif 000003
【図２】
2009047072.tif 000004
【図３】
2009047072.tif 000005
【図４】
2009047072.tif 000006
【図５】
2009047072.tif 000007
【図６】
2009047072.tif 000008